(57)【要約】【課題】コンテンツの最初から最後までを切れ目なく視聴することができるとともに、余分な通信料がかからないコンテンツ表示装置を提供する。【解決手段】通信部３１は、ブロードキャスト／マルチキャスト（ＢＣ／ＭＣ）により配信される番組コンテンツを受信するすると共に、ＢＣ／ＭＣにより配信された番組コンテンツをユニキャストにより取得する。制御部３３は、ＢＣ／ＭＣにより配信が開始されている番組を、番組の最初から視聴を開始する操作を受けると、通信部３１がＢＣ／ＭＣにより受信する番組コンテンツを記憶部３２に記憶開始するとともに、通信部３１を介してユニキャストにより番組の最初から記憶部３２が記憶開始した時点までの番組コンテンツを取得して表示し、ユニキャストにより取得した番組コンテンツの表示が終わると、記憶部３２に記憶開始した番組コンテンツを先頭から表示する。【選択図】図２
2010034966.tif 000002
【特許請求の範囲】
【請求項１】
ブロードキャスト／マルチキャストにより配信される番組コンテンツを受信するとともに、ユニキャストにより前記配信された番組コンテンツを取得する通信部と、
ブロードキャスト／マルチキャストにより配信された番組コンテンツを記憶することが可能な記憶部と、
ブロードキャスト／マルチキャストにより配信が開始されている番組を、該番組の最初から視聴する旨の視聴操作を受けると、該操作を受けてから前記通信部がブロードキャスト／マルチキャストにより受信する番組コンテンツを前記記憶部に記憶開始するとともに、前記通信部を介してユニキャストにより前記番組の最初から前記記憶部が記憶開始した時点までの番組コンテンツを取得して表示し、ユニキャストにより取得した番組コンテンツの表示が終わると、前記記憶部に記憶開始した番組コンテンツを先頭から表示するように制御する制御部と、
を備えるコンテンツ表示装置。
【請求項２】
ブロードキャスト／マルチキャストにより配信される番組コンテンツを受信する受信部と、
前記受信部により受信した番組コンテンツを記憶することが可能な記憶部と、
ユニキャストにより前記配信された番組コンテンツを取得する取得部と、
ブロードキャスト／マルチキャストにより配信が開始されている番組を、該番組の最初から視聴する旨の視聴操作を受けると、該操作を受けてから前記受信部が受信する番組コンテンツを前記記憶部に記憶開始するとともに、前記取得部を介して前記番組の最初から前記記憶部が記憶開始した時点までの番組コンテンツを取得して表示し、前記取得部により取得した番組コンテンツの表示が終わると、前記記憶部に記憶開始した番組コンテンツを先頭から表示するように制御する制御部と、
を備えるコンテンツ表示装置。
【請求項３】
前記制御部は、ユニキャストにより取得した番組コンテンツの取得が終わり、前記記憶部に記憶開始した番組コンテンツを先頭から表示する際に、当該番組が終了していない場合には、タイムシフト再生により前記記憶部に記憶開始した番組コンテンツを先頭から表示する請求項１または２に記載のコンテンツ表示装置。
【発明の詳細な説明】
【技術分野】
【０００１】
本発明は、ブロードキャスト／マルチキャストによりコンテンツを受信して表示できるとともに、ユニキャストによりコンテンツを受信して表示できるコンテンツ表示装置に関する。
【背景技術】
【０００２】
従来、コンテンツを配信するシステムとして、決まった時間にブロードキャスト（全ての端末に送信）／マルチキャスト（決められた複数の端末に送信）で放送する手法と、ユーザが希望する時間にユニキャスト（特定の１つの端末に送信）で送信する手法を併用するシステムがある。
これにより、ブロードキャスト／マルチキャストでの放送時間に、視聴をするのを忘れていたり、圏外・受信エラー等によりコンテンツが取得できなかった端末でも、放送後に、ユニキャスト送信によりコンテンツを取得することが可能となる。
なお、特許文献１には、ブロードキャスト／マルチキャストにより受信できなかったデータをユニキャストで取得する無線通信装置が開示されている。
【特許文献１】特開２００８−１１３１９２号公報
【発明の開示】
【発明が解決しようとする課題】
【０００３】
ブロードキャスト／マルチキャストによる番組放送中に視聴を開始した場合を考える。見逃したところは必要なく、現時点以降に受信できるコンテンツで構わない場合は問題ない。しかし、番組を最初から視聴したい場合、その時点からユニキャストにより番組の全データを取得して視聴せざるを得ない。このユニキャストでデータを取得する場合、ブロードキャスト／マルチキャストに比べ番組の全データ分の通信料が別途かかったり、番組の全データ分を取得するための通信リソースを端末が個々に使用することになる。
【０００４】
また、特許文献１に記載の無線通信装置では、ユニキャストにより取得したデータの表示方法についての言及は無く、ブロードキャスト／マルチキャストにより取得したデータと、ユニキャストにより取得するデータとを別々に表示した場合は、ユーザにとって視聴しづらいものとなる。
【０００５】
本発明は、このような問題点に鑑みてなされたものであり、本発明の目的は、コンテンツの最初から最後までを切れ目なく視聴することができるとともに、余分な通信料がかからないコンテンツ表示装置を提供することにある。
【課題を解決するための手段】
【０００６】
上記目的を達成するため、本発明のコンテンツ表示装置は、ブロードキャスト／マルチキャストにより配信される番組コンテンツを受信するとともに、ユニキャストにより前記配信された番組コンテンツを取得する通信部と、ブロードキャスト／マルチキャストにより配信された番組コンテンツを記憶することが可能な記憶部と、ブロードキャスト／マルチキャストにより配信が開始されている番組を、該番組の最初から視聴する旨の視聴操作を受けると、該操作を受けてから前記通信部がブロードキャスト／マルチキャストにより受信する番組コンテンツを前記記憶部に記憶開始するとともに、前記通信部を介してユニキャストにより前記番組の最初から前記記憶部が記憶開始した時点までの番組コンテンツを取得して表示し、ユニキャストにより取得した番組コンテンツの表示が終わると、前記記憶部に記憶開始した番組コンテンツを先頭から表示するように制御する制御部とを備えることを特徴とする。
【０００７】
また、本発明のコンテンツ表示装置は、ブロードキャスト／マルチキャストにより配信される番組コンテンツを受信する受信部と、前記受信部により受信した番組コンテンツを記憶することが可能な記憶部と、ユニキャストにより前記配信された番組コンテンツを取得する取得部と、ブロードキャスト／マルチキャストにより配信が開始されている番組を、該番組の最初から視聴する旨の視聴操作を受けると、該操作を受けてから前記受信部が受信する番組コンテンツを前記記憶部に記憶開始するとともに、前記取得部を介して前記番組の最初から前記記憶部が記憶開始した時点までの番組コンテンツを取得して表示し、前記取得部により取得した番組コンテンツの表示が終わると、前記記憶部に記憶開始した番組コンテンツを先頭から表示するように制御する制御部とを備えることを特徴とする。
【０００８】
前記制御部は、ユニキャストにより取得した番組コンテンツの取得が終わり、前記記憶部に記憶開始した番組コンテンツを先頭から表示する際に、当該番組が終了していない場合には、タイムシフト再生により前記記憶部に記憶開始した番組コンテンツを先頭から表示することが好ましい。
【発明の効果】
【０００９】
本発明は、ブロードキャスト／マルチキャストで放送中の番組に対してユーザが番組の先頭からの視聴を希望した場合、現時点でのブロードキャスト／マルチキャストの番組を記憶するとともに、ユニキャスト通信で見逃した部分を取得して、直ちに先頭から表示を開始し、見逃した部分の表示が終了した後は、自動的にブロードキャスト／マルチキャストで記憶した番組コンテンツの表示に切り替わるため、ユーザは番組コンテンツの最初から最後までを切れ目なく視聴することができる。
また、ユニキャスト通信を行うのは見逃した部分のみであるので、余分な通信料がかからず、また、通信リソースの有効利用にもつながる。
【発明を実施するための最良の形態】
【００１０】
本発明の実施の形態について図面を参照して説明する。図１は、本発明のコンテンツ表示装置（以下、端末という）が接続されるネットワークの構成を示す図である。図では、コンテンツサーバ１０と、配信サーバ１１と、中継サーバ１２と、端末２０〜２２で構成されているが、端末２０〜２２は、一例であって３台に限定するものではなく、また、サーバ１０〜１２は、機能を兼ねることで、３台以下のサーバで構成される場合もある。また、サーバ１１、１２と端末２０〜２２との間に介在する基地局は省略している。
配信サーバ１１は、コンテンツサーバ１０より取得した番組コンテンツをブロードキャスト／マルチキャスト（ブロードキャストまたはマルチキャスト、ブロードキャストおよびマルチキャスト、ブロードキャストおよびまたはマルチキャスト）で端末２０〜２２に放送する。また、中継サーバ１２は、端末２０〜２２から番組コンテンツの送信の要求があると、コンテンツサーバ１０より取得した番組コンテンツを端末２０〜２２にユニキャストで送信する。端末２０〜２２は、ブロードキャスト／マルチキャストで番組コンテンツを端末画面に表示するとともに、中継サーバ１２に番組コンテンツの送信を要求したときは、ユニキャストで番組コンテンツを取得して端末画面に表示する。
【００１１】
本発明のコンテンツ表示装置は、例えば、携帯電話機等の無線通信端末である。図２にコンテンツ表示装置の構成の一例を示す。図２に示すコンテンツ表示装置は、通信部３１と、記憶部３２と、制御部３３と、操作部３４を備えている。
通信部３１は、配信サーバ１１から基地局を介してブロードキャスト／マルチキャストにより配信される番組コンテンツを受信するとともに、ブロードキャスト／マルチキャストにより配信された番組コンテンツを中継サーバ１２から基地局を介してユニキャストにより取得する。記憶部３２は、ブロードキャスト／マルチキャストにより受信した番組コンテンツを記憶する。
【００１２】
制御部３３は、ブロードキャスト／マルチキャストにより配信が開始されている番組を、番組の最初から視聴する旨の視聴操作を操作部３４から受けると、この操作を受けてから通信部３１がブロードキャスト／マルチキャストにより受信する番組コンテンツを記憶部３２に記憶開始するとともに、通信部３１を介してユニキャストにより番組の最初から記憶部３２が記憶開始した時点までの番組コンテンツを取得して表示し、ユニキャストにより取得した番組コンテンツの表示が終わると、記憶部３２に記憶開始した番組コンテンツを先頭から表示するように制御する。
【００１３】
なお、通信部３１は、配信サーバ１１から放送局を介してブロードキャスト／マルチキャストにより配信される番組コンテンツを受信する受信部と、ブロードキャスト／マルチキャストにより配信された番組コンテンツを中継サーバ１２から基地局を介してユニキャストにより取得する取得部とで構成してもよい。
すなわち、制御部３３は、ブロードキャスト／マルチキャストにより配信が開始されている番組を、番組の最初から視聴する旨の視聴操作を操作部３４から受けると、この操作を受けてから受信部が受信する番組コンテンツを記憶部３２に記憶開始するとともに、取得部を介して番組の最初から記憶部３２が記憶開始した時点までの番組コンテンツを取得して表示し、取得部により取得した番組コンテンツの表示が終わると、記憶部３２に記憶開始した番組コンテンツを先頭から表示するように制御してもよい。
【００１４】
また、制御部３３は、ユニキャストにより取得した番組コンテンツの取得が終わり、記憶部３２に記憶開始した番組コンテンツを先頭から表示する際に、その番組が終了していない場合には、タイムシフト再生により記憶部３２に記憶開始した番組コンテンツを先頭から表示するように制御する。
【００１５】
また、記憶部３２は、ブロードキャスト／マルチキャストにより受信した番組コンテンツを記憶するコンテンツ記憶部４１と、番組開始時刻や、番組コンテンツをユニキャストで受信できることを示すユーザの資格情報等を記憶するコンテンツ情報記憶部４２と、番組コンテンツの放送開始時刻からの経過時間Ｔを記憶するコンテンツ保存開始時経過時間記憶部４３を備えている。
【００１６】
また、制御部３３は、番組コンテンツの表示を制御する画面表示制御部４４と、番組コンテンツの受信を制御するコンテンツ取得制御部と、番組コンテンツを受信する際に番組コンテンツに関する種々の判定を行うコンテンツ情報取得制御部４６を備えている。
【００１７】
次に、ユーザがコンテンツの視聴を行う場合におけるコンテンツ表示装置の動作を図３および図４により説明する。図３は、コンテンツ表示装置の動作を説明するタイムチャートであり、図４は、コンテンツ表示装置の動作を説明するフローチャートである。図３および図４において、ＢＣ／ＭＣは、ブロードキャスト／マルチキャストを表し、ＵＣは、ユニキャストを表す。
【００１８】
まず、ユーザが、コンテンツ表示装置（以下、端末という）の操作部３４からコンテンツＡの視聴を開始する操作を行うと、端末のコンテンツ情報取得制御部４６は、通信部３１を介して、端末がコンテンツＡをブロードキャスト／マルチキャストで受信できる圏内にあるか否かを判定する（Ｓ１０１）。端末が受信できない圏外にあるとき（Ｎｏの場合）は終了する。端末がコンテンツＡを受信できる圏内にあるとき（Ｙｅｓの場合）は、次に、コンテンツ情報取得制御部４６は、コンテンツ情報記憶部４２に記憶されているユーザの資格情報を参照して、ユーザがコンテンツＡをユニキャストで受信可能か否かを判定する（Ｓ１０２）。
【００１９】
コンテンツＡをユニキャストで受信できない場合（Ｎｏの場合）は、コンテンツ取得制御部４５は、放送開始前であれば放送開始時刻になったときに、または放送開始後であれば直ちにブロードキャスト／マルチキャストにより配信サーバ１１からコンテンツＡを受信し、画面表示制御部４４は、コンテンツＡの表示を開始する（Ｓ１１２）。
コンテンツＡをユニキャストで受信できる場合（Ｙｅｓの場合）は、コンテンツ情報取得制御部４６は、コンテンツＡのブロードキャスト／マルチキャストでの放送開始時刻が過ぎているか否かを判定する（Ｓ１０３）。放送開始時刻が過ぎていない場合（Ｎｏの場合）は、コンテンツ取得制御部４５は、放送開始時刻になったときにブロードキャスト／マルチキャストにより配信サーバ１１からコンテンツＡを受信し、画面表示制御部４４は、コンテンツＡの表示を開始する（Ｓ１１２）。
放送開始時刻が過ぎている場合（Ｙｅｓの場合）は、コンテンツ取得制御部４５は、ブロードキャスト／マルチキャストによるコンテンツＡの受信およびコンテンツＡのコンテンツ記憶部４１への保存を開始し（Ｓ１０４）、コンテンツＡの送信開始時刻からの経過時間Ｔをコンテンツ保存開始時経過時間記憶部４３に保存する（Ｓ１０５）。
なお、放送開始時刻が過ぎている場合、上記の視聴を開始する操作が番組の最初から視聴する旨の視聴操作として動作しているが、放送開始時刻が過ぎている番組を表示して、その表示中に番組の最初から視聴する旨の視聴操作を受けるようにして、その後、ステップ１０３以降の処理を行ってもよい。
【００２０】
次に、コンテンツ取得制御部４５は、ユニキャストによるコンテンツＡの送信を中継サーバ１２に要求する（Ｓ１０６）。コンテンツ取得制御部４５は、ユニキャストによりコンテンツＡを受信し、画面表示制御部４４は、コンテンツＡの表示を開始する（Ｓ１０７）。次に、コンテンツ情報取得制御部４６は、ユニキャストによるコンテンツＡの表示時間が経過時間Ｔになったか否かを判定する（Ｓ１０８）。表示時間が経過時間Ｔになるまでステップ１０８を繰り返し、表示時間が経過時間Ｔになったならば、コンテンツ取得制御部４５は、ユニキャストによるコンテンツＡの送信停止を中継サーバ１２に要求する（Ｓ１０９）。次に、コンテンツ取得制御部４５は、ユニキャストによるコンテンツＡの受信を停止し、画面表示制御部４４は、コンテンツＡの表示を停止する（Ｓ１１０）。次に、画面表示制御部４４は、Ｓ１０４で保存を開始したコンテンツＡの表示を先頭から開始する（Ｓ１１１）。なお、ブロードキャスト／マルチキャストによるコンテンツＡの保存は継続する。すなわち、コンテンツ記憶部４１に記憶開始したコンテンツＡを先頭から表示する際に、番組が終了していない場合には、録画しながら再生するタイムシフト再生によりコンテンツ記憶部４１に記憶開始したコンテンツＡを先頭から表示することになる。
【００２１】
上述したように、本発明は、ユーザが番組の先頭からの視聴を希望した場合、ユニキャスト通信で直ちに先頭から表示を開始し、見逃した部分の表示が終了した後は、自動的にブロードキャスト／マルチキャストで取得したコンテンツの表示に切り替わるため、ユーザはコンテンツの最初から最後までを切れ目なく視聴することができる。
また、ユニキャスト通信を行うのは見逃した部分のみであるので、余分な通信料がかからず、また、通信リソースの有効利用にもつながる。
また、本発明は、上述の実施例に限定されるものではないく、例えば、ブロードキャスト／マルチキャストにより配信されるコンテンツを受信する受信部を、放送受信チューナなど、上述の通信部とは別の構成部により構成しても良い。
【図面の簡単な説明】
【００２２】
【図１】本発明のコンテンツ表示装置が接続されるネットワークの構成を示す図である。
【図２】本発明のコンテンツ表示装置の構成の一例を示すブロック図である。
【図３】コンテンツ表示装置の動作を説明するタイムチャートである。
【図４】コンテンツ表示装置の動作を説明するフローチャートである。
【符号の説明】
【００２３】
１０  コンテンツサーバ
１１  配信サーバ
１２  中継サーバ
２０，２１，２２  端末
３１  通信部
３２  記憶部
３３  制御部
３４  操作部
４１  コンテンツ記憶部
４２  コンテンツ情報記憶部
４３  コンテンツ保存開始時経過時間記憶部
４４  画面表示制御部
４５  コンテンツ取得制御部
４６  コンテンツ情報取得制御部
【図１】
2010034966.tif 000003
【図２】
2010034966.tif 000004
【図３】
2010034966.tif 000005
【図４】
2010034966.tif 000006